(57)【要約】【課題】交換のために収納部に着脱される化粧料皿の外形寸法に対する寸法吸収性やクッション性に富むコンパクト容器を提供する。【解決手段】容器本体３の周壁１７に取り囲まれた収納部内に、係合凹部を有する化粧料皿５が着脱自在に装着されるコンパクト容器において、周壁１７が少なくとも、化粧料皿５の係合凹部に向かい合う左壁１７ｒとこの左壁１７ｒ両側に角部１７ｃを介して隣接する前後壁１７ｓ，１７ｔとを備え、これら壁１７ｒ，１７ｓ，１７ｔに角部１７ｃを介して一連に連続する水平スリット１９が上下一対形成され、これら水平スリット１９間に、弾性変形されてフープ応力を生じるベント部２０が形成されるとともに、ベント部２０に化粧料皿５の係合凹部が係脱自在に係合される係合凸部２１ｒが形成されている。【選択図】　　　　　図１
2004008285.tif 000002
【特許請求の範囲】
【請求項１】
容器本体の周壁に取り囲まれた収納部内に、係合部を有する化粧料皿が着脱自在に装着されるコンパクト容器において、上記周壁が少なくとも、上記化粧料皿の係合部に向かい合う壁部分とこの壁部分両側に湾曲部を介して隣接する壁部分とを備え、これら壁部分に上記湾曲部を介して一連に連続する水平スリットが上下一対形成され、これら水平スリット間に、弾性変形されてフープ応力を生じるベント部が形成されるとともに、上記ベント部に上記化粧料皿の係合部が係脱自在に係合される被係合部が形成されたことを特徴とするコンパクト容器。
【発明の詳細な説明】
【０００１】
【発明の属する技術分野】
本発明は、交換のために収納部に着脱される化粧料皿の外形寸法に対する寸法吸収性やクッション性に富むコンパクト容器に関する。
【０００２】
【従来の技術】
従来、化粧料皿を交換可能とするために、容器本体の収納部内に着脱自在に装着できるようにしたコンパクト容器が知られている。例えば、特開平８−３８２４２号公報に開示されたコンパクト容器では、収納部を取り囲む矩形環状の周壁のうち、いずれかの相対向する一対の平坦な周壁部分にそれぞれ切り欠き部と弾性変形可能なベント部とを形成するとともに、これら周壁部分の上縁にそれぞれ係止部を形成し、これら係止部で化粧料皿の上縁を係脱自在に係合することによって、化粧料皿を収納部内に着脱自在に保持するようにしている。
【０００３】
そして、収納部に保持されている化粧料皿を取り外す際には、切り欠き部に指を差し入れて化粧料皿をベント部側へ向かって押し動かすことにより、化粧料皿の一方の上縁を切り欠き部側の係止部から離脱させて収納部から取り外し可能とし、その後弾性変形されたベント部によって押し戻される化粧料皿を上方に持ち上げて取り外すようになっている。他方、化粧料皿を装着する際には取り外し動作とは反対に、化粧料皿をベント部側の係止部下へ差し入れ、その後化粧料皿全体を収納部に向かって押し込むようにすると、これに伴ってベント部が弾性変形して切り欠き部側の係止部下にも化粧料皿が潜り込んでいき、その後ベント部が復元することによって化粧料皿は切り欠き部側へ押し戻され、これにより化粧料皿の上縁が切り欠き部側およびベント部側双方の係止部下に係合されて装着が完了する。
【０００４】
【発明が解決しようとする課題】
ところで従来にあっては、化粧料皿を収納部に保持しかつその脱着操作のために弾性変形されるベント部は、化粧料皿の外形寸法に対する寸法吸収性やクッション性に乏しいという課題があった。このベント部は、切り欠き部の反対側に位置する平坦な周壁部分に、上下一対で形成された水平スリット間に形成されていた。
【０００５】
このため、ベント部の弾性変形は曲げ変形であり、収納部内での化粧料皿の移動と係止部への係止に対しては十分な機能性を発揮するけれども、化粧料皿の外形形状に対する融通性はさほどなく、例えば化粧料皿に成形上発生する外形寸法誤差や、あるいはまたその内部への化粧料の充填圧力に起因する化粧料皿の変形など、当該化粧料皿の外形寸法のばらつきを吸収させるという意味からは不十分であり、すなわちベント部の曲げ変形だけでは、化粧料皿を収納部に押し入れる際や取り外す際に、きつくてその脱着操作がたいへんな場合があった。また、クッション性に乏しく、コンパクト容器を取り落としたときなどに、化粧料皿に衝撃が加わりその内部の化粧料に割れが生じたりするおそれがあった。
【０００６】
本発明は上記従来の課題に鑑みて創案されたものであって、交換のために収納部に着脱される化粧料皿の外形寸法に対する寸法吸収性やクッション性に富むコンパクト容器を提供することを目的とする。
【０００７】
【課題を解決するための手段】
本発明にかかるコンパクト容器は、容器本体の周壁に取り囲まれた収納部内に、係合部を有する化粧料皿が着脱自在に装着されるコンパクト容器において、上記周壁が少なくとも、上記化粧料皿の係合部に向かい合う壁部分とこの壁部分両側に湾曲部を介して隣接する壁部分とを備え、これら壁部分に上記湾曲部を介して一連に連続する水平スリットが上下一対形成され、これら水平スリット間に、弾性変形されてフープ応力を生じるベント部が形成されるとともに、上記ベント部に上記化粧料皿の係合部が係脱自在に係合される被係合部が形成されたことを特徴とする。これにより、交換のために収納部に着脱される化粧料皿の外形寸法に対する寸法吸収性やクッション性が高められる。
【０００８】
【発明の実施の形態】
以下に、本発明にかかるコンパクト容器の好適な一実施形態を、添付図面を参照して詳細に説明する。図１〜図５には、本発明にかかるコンパクト容器の第１の実施形態が示されている。図示するように、コンパクト容器１は、収納凹部２が形成された皿状の合成樹脂製容器本体３と、収納凹部２に装着されて超音波接着など各種の固定方法によって容器本体３に固定される合成樹脂製の皿枠４と、化粧料Ｐを収納し、皿枠４に着脱自在に収納される合成樹脂製の化粧料皿５と、容器本体３の一端にヒンジ６を介して回動自在に連結されて容器本体３を開閉するとともに、容器本体３の他端にフック手段７を介して係脱自在に係合されて当該容器本体３を閉止状態に維持する合成樹脂製の蓋体８とから主に構成される。蓋体８の裏面には、鏡９が取り付けられている。
【０００９】
フック手段７は、容器本体３に形成された凹所１０内に突設されたフック用突起１１と、蓋体８から垂下されてフック用突起１１に係脱自在に係合されるフック片１２とから構成される。またヒンジ６は、容器本体３から一対突設されたヒンジ片１３間に蓋体８から垂下させたヒンジブロック１４が挟み込まれ、これらヒンジブロック１４からヒンジ片１３にわたってヒンジピン１５が挿入されることで構成される。化粧料皿５は平面外形輪郭が矩形状に形成され、いずれかの相対向する一対の壁面、図示例にあっては左右の壁面それぞれに、係合部として一対の係合凹部１６ｑ，１６ｒが形成される。
【００１０】
皿枠４は、環状周壁１７と、この環状周壁１７で取り囲んだ内部空間をヒンジ６側とフック手段７側との間で左右に２つに仕切るために、ヒンジ６側からフック手段７側に向かって環状周壁１７間に掛け渡された仕切り壁１８とから構成される。そしてこの皿枠４は、容器本体３の収納凹部２に装着されることによって当該容器本体３の底部３ａとともに、左側に化粧料皿５を収容するおおよそ平面矩形環状の収納部Ｓ１を区画形成し、右側に同様に、ほぼ平面矩形環状の化粧具用収納部Ｓ２を区画形成する。
【００１１】
そして特に本実施形態のコンパクト容器１にあっては基本的には、収納部Ｓ１を取り囲む皿枠４の環状周壁１７が少なくとも、化粧料皿５の一方の係合凹部１６ｒに向かい合う壁部分、図示例にあっては左壁１７ｒと、この左壁１７ｒ両側に湾曲された角部１７ｃを介して隣接する壁部分、図示例にあっては前後壁１７ｓ，１７ｔとを備えていて、これら左壁１７ｒおよび前後壁１７ｓ，１７ｔに角部１７ｃを介して一連に連続する水平スリット１９が上下一対形成され、これら水平スリット１９間に、弾性変形されてフープ応力を生じるベント部２０が形成されるとともに、ベント部２０に化粧料皿５の一方の係合凹部１６ｒが係脱自在に係合される被係合部としての係合凸部２１ｒが形成されて構成される。すなわち図示例では、収納部Ｓ１は４つの壁１７ｒ，１７ｓ，１７ｔ，１８に取り囲まれ、仕切り壁１８には、化粧料皿５の右壁面の係合凹部１６ｑに係脱自在に係合する係合凸部２１ｑが形成されるとともに、当該仕切り壁１８と向かい合う左壁１７ｒに、ベント部２０および化粧料皿５の左壁面の係合凹部１６ｒに係脱自在に係合する係合凸部２１ｒが設けられる。
【００１２】
ベント部２０は具体的には、左壁１７ｒから前後壁１７ｓ，１７ｔにわたりそれらの高さ方向中央と下端とに２つ設けられたスリット１９によって、前後壁１７ｓ，１７ｔ側の両端が固定端２０ａとされ、途中の角部１７ｃ位置に湾曲された湾曲部２０ｂを有し、かつ左壁１７ｒ直下の中央部２０ｃのほぼ真ん中で最大変位を生じて、たが張り応力もしくはフープ応力を生じるように可撓的に弾性変形可能に形成される。またこのベント部２０の肉厚は、そのしなやかな弾性変形を保証するために、これら壁１７ｒ，１７ｓ，１７ｔの肉厚よりも薄く設定されるとともに、この薄肉化により容器本体３とベント部２０との間には、当該ベント部２０の弾性変形を許容する隙間Ｖが形成される。そしてこのベント部２０の中央部２０ｃに、係合凸部２１ｒが位置される。
【００１３】
より詳細には、ベント部２０は、その長さが前後壁１７ｓ，１７ｔにわたって長く形成されるため、大きく弾性変形することが可能である。またこのベント部２０は、その固定端２０ａが前後壁１７ｓ，１７ｔ側に位置されていて、化粧料皿５の着脱や化粧料皿５に衝撃が加わってベント部２０が変形される際に引張応力が発生するようになっており、かつまたこの変形にあたり湾曲部２０ｂは広がるようにその曲率の変化を伴って変形することから、中央部２０ｃの変形量を大きく確保しながら、その変形に際し化粧料皿５の周囲を取り巻いて僅かながら拘束するように作用するフープ応力を生じるようになっている。
【００１４】
収納部Ｓ１を形成する容器本体３の底部３ａにはベント部２０に近い位置に、化粧料皿５を皿枠４から離脱させるときに当該化粧料皿５を押し上げるための棒状物を差し込むための穴２２が形成される。図示例では、化粧料皿５をその押し上げで収納部Ｓ１から離脱させ、また押し下げで装着するものであることから、ベント部２０の係合凸部２１ｒの上下面はそれぞれ傾斜面で形成され、ベント部２０は、化粧料皿５の押し下げで上面の傾斜面により弾性変形され、また化粧料皿５の押し上げで下面の傾斜面により弾性変形される。
【００１５】
他方、仕切り壁１８の係合凸部２１ｑの上面は、化粧料皿５の押し下げによる装着を円滑化するために傾斜面で形成されるとともに、その下面は平坦面とされて、化粧料皿５の収納部Ｓ１への保持性を高める。この係合凸部２１ｑの下面を平坦としても、化粧料皿５を押し上げて取り外す際には、ベント部２０が弾性変形されて化粧料皿５の左壁面の係合凹部１６ｒがベント部２０の係合凸部２１ｒから容易に離脱され、スムーズに取り外すことができる。
【００１６】
以上説明した本実施形態にかかるコンパクト容器１にあっては、これを使用する際には通常通り、フック手段７を外してヒンジ６周りに蓋体８を回動させて容器本体３を開けばよい。化粧料皿５を交換する際には、容器本体３を開いた状態で、まず皿枠４の収納部Ｓ１内に保持されている化粧料皿５を取り外すことになる。このときには、容器本体底部３ａの穴２２から棒状物を差し入れて化粧料皿５を押し上げる。化粧料皿５を押し上げると、化粧料皿５の一方の係合凹部１６ｑが仕切り壁１８の係合凸部２１ｑに係合されたままである一方で、他方の係合凹部１６ｒはベント部２０の係合凸部２１ｒ下面の傾斜面に沿って持ち上がり、この際ベント部２０が隙間Ｖへ向かって弾性変形されて、化粧料皿５は傾いた状態でベント部２０から外れる。その後さらに押し上げることで、係合凸部２１ｑから係合凹部１６ｑも離脱することとなり、これによって化粧料皿５は仕切り壁１８からも外れて取り出すことができる。化粧料皿５を装着するときには、収納部Ｓ１に向かって化粧料皿５を押し込むと、化粧料皿５の左壁（係合凹部１６ｒ側）下端がベント部２０の係合凸部２１ｒ上面の傾斜面によってベント部２０を弾性変形させ、これにより係合凸部２１ｒ下に潜り込むと同時に、化粧料皿５の一対の係合凹部１６ｒ，１６ｑ双方が一挙に係合凸部２１ｒ，２１ｑに係合し、これにより化粧料皿５を収納部Ｓ１に装着することができる。
【００１７】
この化粧料皿５の脱着による交換操作時のベント部２０の弾性変形は上述したように、当該ベント部２０の長さが左壁１７ｒを挟んで前後壁１７ｓ，１７ｔにわたって長く、かつベント部２０と容器本体３との間の隙間Ｖも相俟って、十分なものであり、円滑で好ましい着脱性を発揮することはもちろんのこと、化粧料皿５の外形形状に対する融通性を高くすることができ、例えば化粧料皿５に成形上発生する外形寸法誤差や、あるいはまたその内部への化粧料Ｐの充填圧力に起因する化粧料皿５の変形など、当該化粧料皿５の外形寸法のばらつきを十分に吸収して、化粧料皿５のスムーズな交換操作性を保証することができる。
【００１８】
そしてまたベント部２０は上述したように、その変形に際し化粧料皿５の周囲を取り巻いて僅かながら拘束するように作用するフープ応力を生じるので、コンパクト容器１を取り落としたときなどに化粧料皿５に加わる衝撃、具体的には収納部Ｓ１内での化粧料皿５の振れ動きを、その大きな弾性変形能によるクッション性と当該拘束作用とによって吸収することができ、化粧料Ｐに割れが生じたりすることを防ぐことができる。
【００１９】
図５から図７には、第２の実施形態が示されている。この実施形態では、容器本体３に第１の実施形態の皿枠が一体的に形成されている。また容器本体３内部は仕切り壁１８によりフック手段７側とヒンジ６側とに前後に仕切られ、フック手段７側が化粧具用収納部Ｓ２とされ、ヒンジ６側が化粧皿５を収納する収納部Ｓ１とされている。従って、後壁１７ｔからこれに隣接する左右壁１７ｒ，１７ｕにわたってベント部２０が形成されている。また、上記第１の実施形態の容器本体３の底部３ａに形成した穴２２に代えて、仕切り壁１８には、化粧料皿５を取り外す際に、これをヒンジ６側に移動させて仕切り壁１８の係合凸部２１ｑから係合凹部１６ｑを離脱させるために、化粧料皿５の壁面を指で押すことを可能にするための切り欠き部２３が形成されている。また、収納部Ｓ１内での化粧料皿５の移動を許容しつつベント部２０を弾性変形させるために、後壁１７ｔはベント部２０およびその係合凸部２１ｒよりも後退した位置に、装着された化粧料皿５との間に間隙Ｕを生ずる寸法設定で形成される。
【００２０】
そして、化粧料皿５を収納部Ｓ１から取り外す際には、切り欠き部２３から指を差し入れ、間隙Ｕ分だけ化粧料皿５を後壁１７ｔに向かって押し動かす。化粧料皿５を押すと、化粧料皿５の一方の係合凹部１６ｒがベント部２０の係合凸部２１ｒに係合されたままベント部２０が弾性変形し、他方の係合凹部１６ｑが仕切り壁１８の係合凸部２１ｑから離脱される。この状態で仕切り壁１８側を持ち上げて化粧料皿５を傾けることにより、係合凸部２１ｒから係合凹部１６ｒも離脱することとなり、これによって化粧料皿５はベント部２０からも外れて取り出すことができる。化粧料皿５を装着するときには上記実施形態と同様に、収納部Ｓ１に向かって化粧料皿５を押し込むことによりベント部２０が弾性変形され、これにより化粧料皿５の一対の係合凹部１６ｑ，１６ｒ双方が一挙に係合凸部２１ｑ，２１ｒに係合して、これにより化粧料皿５を収納部Ｓ１に装着することができる。このような構成であっても、上記第１の実施形態と同様な作用・効果を奏することはもちろんである。
【００２１】
以上の実施形態にあっては、平面矩形環状の周壁に取り囲まれた収納部Ｓ１を例示して説明したが、当該周壁としては少なくとも化粧料皿５の係合部に向かい合う壁部分とこの壁部分両側に湾曲部を介して隣接する壁部分とを備えていればよく、従って収納部Ｓ１の平面外形としては、三角形状や五角形状等各種の多角形状、ひいては円形状であってもよい。
【００２２】
【発明の効果】
以上要するに、本発明にかかるコンパクト容器にあっては、交換のために収納部に着脱される化粧料皿の外形寸法に対する寸法吸収性やクッション性を高めることができる。
【図面の簡単な説明】
【図１】本発明にかかるコンパクト容器の第１の実施形態を示す分解斜視図である。
【図２】図１のコンパクト容器の正面断面図である。
【図３】図１のコンパクト容器のＡ部拡大断面図である。
【図４】図３のＢ−Ｂ線矢視断面図である。
【図５】本発明にかかるコンパクト容器の第２の実施形態を示す、蓋体を開いた状態の斜視図である。
【図６】図５のコンパクト容器の側断面図である。
【図７】図５のコンパクト容器における化粧料皿の取り外し操作を示す要部側断面図である。
【符号の説明】
１　コンパクト容器
３　容器本体
５　化粧料皿
１６ｑ，１６ｒ　係合凹部
１７　周壁
１７ｒ　左壁
１７ｓ　前壁
１７ｔ　後壁
１７ｕ　右壁
１７ｃ　角部
１９　水平スリット
２０　ベント部
２１ｑ，２１ｒ　係合凸部
Ｓ１　収納部
【図１】
2004008285.tif 000003
【図２】
2004008285.tif 000004
【図３】
2004008285.tif 000005
【図４】
2004008285.tif 000006
【図５】
2004008285.tif 000007
【図６】
2004008285.tif 000008
【図７】
2004008285.tif 000009